(57)【特許請求の範囲】
【請求項１】
操作部の角度位置に応じて遊技球の発射威力を変化させる遊技球発射制御装置に用いられるギヤ機構であって、
前記操作部とともに回転する主動ギヤと、
前記主動ギヤと咬み合う従動ギヤと、
前記従動ギヤと咬み合う付勢ギヤと、
前記付勢ギヤを所定の回転方向に付勢する付勢部と、
前記付勢部によって回転させられる前記付勢ギヤと所定の角度位置で接触することによって、前記付勢ギヤの回転を制止するストッパと、
前記従動ギヤを支持する従動ギヤ軸と、
を備え、
前記従動ギヤは、複数の歯溝を有しており、前記複数の歯溝の一部は制止部付歯溝であり、前記制止部付歯溝は、前記歯溝の一部分を埋める制止部を有し、前記制止部は前記制止部付歯溝の一方の端部である制止端部を埋めており、
前記主動ギヤは、前記制止部と接触すべき部分が欠けている第１種歯と、前記制止部と接触すべき部分に欠けのない第２種歯とを有し、
前記第１種歯と前記第２種歯とは、
（ｉ）前記主動ギヤと前記従動ギヤが所定の正咬み合い位置で咬み合わされた場合には、前記第１種歯と前記制止部付歯溝とが咬み合うことにより、前記制止部によって制止されることなく、前記各ギヤの回転が許容され、
（ｉｉ）前記主動ギヤと前記従動ギヤが前記正咬み合い位置とは異なる位置で咬み合わされた場合には、前記第２種歯と前記制止部とが接触して前記各ギヤの回転が制止されるように構成され、
前記従動ギヤと前記付勢ギヤとは、前記付勢ギヤの角度位置が前記付勢部と前記ストッパとによって保持された後に、前記従動ギヤの回転軸に沿った向きを、前記制止部付歯溝の両端のうちの前記制止端部が前記付勢ギヤにより近くなるような向きに設定して、前記従動ギヤを前記従動ギヤ軸に嵌め込むことによって咬み合わせられており、
前記従動ギヤと前記付勢ギヤとは、
（Ａ１）前記従動ギヤの角度位置が所定の正従動角度位置である場合には、前記従動ギヤの複数の歯溝のうちの前記制止部の無い歯溝が前記付勢ギヤの歯と咬み合う方向に向けられることによって、前記制止部の無い歯溝に前記付勢ギヤの歯が挿入され、
（Ａ２）前記従動ギヤの角度位置が前記正従動角度位置とは異なる角度位置である場合には、前記制止部付歯溝が前記付勢ギヤの歯と噛み合う方向に向けられ、前記制止部が前記付勢ギヤの歯と接触することによって、前記従動ギヤと前記付勢ギヤとの間で歯が歯溝に挿入されることが防止されるように、構成されている、
ギヤ機構。
【請求項２】
操作部の角度位置に応じて遊技球の発射威力を変化させる遊技球発射制御装置に用いられるギヤ機構の製造方法であって、
（Ａ）付勢ギヤと所定の角度位置で接触することによって、前記付勢ギヤの回転を制止するストッパを準備する工程と、
（Ｂ）前記付勢ギヤを回転可能に支持する付勢支持部に、前記付勢ギヤを組み付ける工程と、
（Ｃ）前記付勢ギヤを所定の回転方向に付勢する付勢部を、前記付勢ギヤに組み付ける工程と、
（Ｄ）前記付勢部によって回転させられる前記付勢ギヤを前記ストッパに接触させることによって、前記付勢ギヤの角度位置を前記付勢部と前記ストッパとによって保持する工程と、
（Ｅ）複数の歯溝を有する従動ギヤであって、前記複数の歯溝のうちの一部の歯溝である制止部付歯溝が、前記制止部付歯溝の一方の端部である制止端部を埋める制止部を有する、従動ギヤを準備する工程と、
（Ｆ）前記付勢ギヤの角度位置が前記付勢部と前記ストッパとによって保持された後に、前記従動ギヤを従動ギヤ軸に嵌め込むことによって、前記従動ギヤと前記付勢ギヤとを咬み合わせる工程と、
（Ｇ）前記操作部とともに回転し、前記従動ギヤと咬み合わされる主動ギヤであって、
前記制止部と接触すべき部分が欠けている第１種歯と、
前記制止部と接触すべき部分に欠けのない第２種歯と、
前記主動ギヤを回転可能に支持する主動支持部に設けられた第１勘合部と勘合する第２勘合部と、
を有する主動ギヤを準備する工程と、
（Ｈ）角度位置が保持された前記付勢ギヤに前記従動ギヤが咬み合わされた後に、前記主動ギヤを前記主動支持部に嵌め込むことによって、前記主動ギヤと前記従動ギヤとを前記正咬み合い位置で咬み合わせる工程と、
を有し、
前記工程（Ｆ）は、
（Ｆ１）前記従動ギヤが前記従動ギヤ軸に嵌め込まれる際の前記従動ギヤの回転軸に沿った向きを、前記制止部付歯溝の両端のうちの前記制止端部が前記付勢ギヤにより近くなるような向きに設定する工程と、
（Ｆ２）前記従動ギヤが前記従動ギヤ軸に嵌め込まれる際の前記従動ギヤの角度位置を所定の正従動角度位置に設定する工程と、
を含み、
前記従動ギヤと前記付勢ギヤとは、
（Ａ１）前記従動ギヤの角度位置が前記正従動角度位置である場合には、前記従動ギヤの複数の歯溝のうちの前記制止部の無い歯溝が前記付勢ギヤの歯と咬み合う方向に向けられることによって、前記制止部の無い歯溝に前記付勢ギヤの歯が挿入され、
（Ａ２）前記従動ギヤの角度位置が前記正従動角度位置とは異なる角度位置である場合には、前記制止部付歯溝が前記付勢ギヤの歯と噛み合う方向に向けられ、前記制止部が前記付勢ギヤの歯と接触することによって、前記従動ギヤと前記付勢ギヤとの間で歯が歯溝に挿入されることが防止されるように、構成されており、
前記第１種歯と前記第２種歯とは、
（ｉ）前記主動ギヤと前記従動ギヤが所定の正咬み合い位置で咬み合わされた場合には、前記第１種歯と前記制止部付歯溝とが咬み合うことにより、前記制止部によって制止されることなく、前記各ギヤの回転が許容され、
（ｉｉ）前記主動ギヤと前記従動ギヤが前記正咬み合い位置とは異なる位置で咬み合わされた場合には、前記第２種歯と前記制止部とが接触して前記各ギヤの回転が制止されるように構成されており、
前記第２勘合部は、前記主動ギヤの角度位置が所定の正主動角度位置である場合にのみ、前記第１勘合部と勘合することによって前記主動ギヤと前記主動支持部とが嵌め合わせられ得るように構成されており、
前記主動ギヤと前記従動ギヤとは、角度位置が保持された前記付勢ギヤに前記従動ギヤが咬み合わされた後に、前記主動ギヤを前記主動支持部に嵌め込むことによって、前記正咬み合い位置で咬み合わされるように、構成されている、
製造方法。
【発明の詳細な説明】
【技術分野】
【０００１】
本発明は、遊技球の発射威力を変化させる遊技球発射制御装置に関するものである。
【背景技術】
【０００２】
従来より、遊技球を利用する遊技機（例えば、パチンコ遊技機）には、遊技球の発射威力（初速度）を遊技者に調整させる遊技球発射制御装置（ハンドルとも呼ばれている）が設けられている。遊技球発射制御装置は、発射威力を制御するための可変抵抗器と、可変抵抗器と機械的に接続された操作部と、を有している。遊技者が操作部の角度位置を変えることによって可変抵抗器の抵抗値が変化し、遊技球の発射威力が調整される。このような遊技球発射制御装置としては、例えば、ギヤを用いて操作部と可変抵抗器とを接続するものが提案されている（例えば、特許文献１参照）。
【０００３】
【特許文献１】特開平５−３９４４号公報
【０００４】
ところで、ギヤを用いた遊技球発射制御装置では、正しい咬み合い位置でギヤを組み付けることが重要である。ところが、ギヤの咬み合い位置を調整しつつギヤを組み付けるという作業は煩雑であるので、誤った咬み合い位置でギヤが組み付けられる虞があった。
【０００５】
なお、このような問題は、可変抵抗器を用いた遊技球発射制御装置に限らず、ギヤを用いて遊技球の発射威力を調整する遊技球発射制御装置に共通する問題であった。
【発明の開示】
【発明が解決しようとする課題】
【０００６】
本発明は、上述した従来の課題を解決するためになされたものであり、遊技球発射制御装置のギヤが誤った咬み合い位置で組み付けられることを抑制可能な技術を提供することを目的とする。
【課題を解決するための手段】
【０００７】
上記課題の少なくとも一部を解決するために、本発明の第１の態様に係るギヤ機構は、操作部の角度位置に応じて遊技球の発射威力を変化させる遊技球発射制御装置に用いられるギヤ機構であって、前記操作部とともに回転する主動ギヤと、前記主動ギヤと咬み合う従動ギヤと、を備え、前記主動ギヤと前記従動ギヤとのうちの一方のギヤにおいて、複数の歯溝のうちの一部の歯溝である制止部付歯溝は、歯溝の一部分を埋める制止部を有し、前記主動ギヤと前記従動ギヤとのうちの他方のギヤは、前記制止部と接触すべき部分が欠けている第１種歯と、前記制止部と接触すべき部分に欠けのない第２種歯とを有し、前記第１種歯と前記第２種歯とは、（ｉ）前記主動ギヤと前記従動ギヤが所定の正咬み合い位置で咬み合わされた場合には、前記第１種歯と前記制止部付歯溝とが咬み合うことにより、前記制止部によって制止されることなく、前記各ギヤの回転が許容され、（ｉｉ）前記主動ギヤと前記従動ギヤが前記正咬み合い位置とは異なる位置で咬み合わされた場合には、前記第２種歯と前記制止部とが接触して前記各ギヤの回転が制止されるように構成されている。
【０００８】
このギヤ機構によれば、正咬み合い位置とは異なる位置で主動ギヤと従動ギヤとが咬み合わされた場合に、制止部と第２種歯とによって各ギヤの回転が制止されるので、主動ギヤと従動ギヤとの咬み合い位置が正しいか否かを容易に判定することができる。その結果、遊技球発射制御装置のギヤが誤った咬み合い位置で組み付けられることを抑制できる。
【０００９】
上記ギヤ機構において、前記制止部は、前記制止部付歯溝の一方の端部である制止端部を埋めており、前記第１種歯と前記第２種歯とのそれぞれは、咬み合うべき歯溝の延びる方向に沿って前記制止端部側に向かって延びる連続な歯で形成されており、前記第１種歯は、前記制止部の手前まで延びており、前記第２種歯は、前記第１種歯よりも前記制止端部側に突出するとともに前記制止部と接触する位置まで延びていることが好ましい。
【００１０】
この構成によれば、制止部付歯溝と第１種歯と第２種歯との形成が容易であるので、各ギヤを容易に製造することが可能となる。
【００１１】
上記ギヤ機構において、前記第２種歯の歯溝に挿入される部分の歯幅は、前記第１種歯の歯溝に挿入される部分の歯幅よりも広く、前記主動ギヤと前記従動ギヤとのうちの前記第１種歯と前記第２種歯とを有するギヤの回転範囲は３６０度未満であり、前記第１種歯と前記第２種歯とは、前記回転範囲に対応する円弧上に配置され、前記第１種歯は、前記円弧の両端部分に配置され、前記第２種歯は、前記円弧の途中部分に配置されていることが好ましい。
【００１２】
この構成によれば、円弧の途中部分に設けられた歯の摩耗が進むことを抑制できるので、ギヤ機構の寿命が短くなることを抑制できる。
【００１３】
上記ギヤ機構において、さらに、前記従動ギヤと咬み合う付勢ギヤと、前記付勢ギヤを所定の回転方向に付勢する付勢部と、を有することが好ましい。
【００１４】
この構成によれば、従動ギヤが付勢ギヤによって付勢されるので、主動ギヤと従動ギヤとの間の咬み合いに遊びがある場合であっても、従動ギヤの角度位置の細かい調整が容易となる。
【００１５】
上記ギヤ機構において、さらに、前記付勢部によって回転させられる前記付勢ギヤと所定の角度位置で接触することによって、前記付勢ギヤの回転を制止するストッパを備えることが好ましい。
【００１６】
この構成によれば、ストッパと付勢部とによって付勢ギヤの角度位置が所定の角度位置に保持されるので、従動ギヤと付勢ギヤとの咬み合い位置を所定の位置に設定することが容易となる。
【００１７】
上記ギヤ機構において、さらに、前記従動ギヤを支持する従動ギヤ軸を有し、前記従動ギヤは前記制止部付歯溝を有し、前記制止部は前記制止部付歯溝の一方の端部である制止端部を埋め、前記主動ギヤは、前記第１種歯と前記第２種歯とを有し、前記従動ギヤと前記付勢ギヤとは、前記付勢ギヤの角度位置が前記付勢部と前記ストッパとによって保持された後に、前記従動ギヤの回転軸に沿った向きを、前記制止部付歯溝の両端のうちの前記制止端部が前記付勢ギヤにより近くなるような向きに設定して、前記従動ギヤを前記従動ギヤ軸に嵌め込むことによって咬み合わせられており、前記従動ギヤと前記付勢ギヤとは、（Ａ１）前記従動ギヤの角度位置が所定の正従動角度位置である場合には、前記従動ギヤの複数の歯溝のうちの前記制止部の無い歯溝が前記付勢ギヤの歯と咬み合う方向に向けられることによって、前記制止部の無い歯溝に前記付勢ギヤの歯が挿入され、（Ａ２）前記従動ギヤの角度位置が前記正従動角度位置とは異なる角度位置である場合には、前記制止部付歯溝が前記付勢ギヤの歯と噛み合う方向に向けられ、前記制止部が前記付勢ギヤの歯と接触することによって、前記従動ギヤと前記付勢ギヤとの間で歯が歯溝に挿入されることが防止されるように、構成されていることが好ましい。
【００１８】
この構成によれば、従動ギヤの角度位置が正従動角度位置とは異なる角度位置である場合には、従動ギヤと付勢ギヤとの間で歯が歯溝に挿入されることが防止されるので、従動ギヤと付勢ギヤとの咬み合い位置を所定の位置に設定することが、さらに容易となる。
【００１９】
上記ギヤ機構において、さらに、前記主動ギヤを回転可能に支持する主動支持部を備え、前記主動支持部は第１勘合部を有し、前記主動ギヤは前記第１勘合部と勘合される第２勘合部を有し、前記第２勘合部は、前記主動ギヤの角度位置が所定の正主動角度位置である場合にのみ、前記第１勘合部と勘合することによって前記主動ギヤと前記主動支持部とが嵌め合わせられ得るように構成されており、前記主動ギヤと前記従動ギヤとは、角度位置が保持された前記付勢ギヤに前記従動ギヤが咬み合わされた後に、前記主動ギヤを前記主動支持部に嵌め込むことによって、前記正咬み合い位置で咬み合わされるように、構成されていることが好ましい。
【００２０】
この構成によれば、従動ギヤの角度位置が付勢ギヤによって所定の角度位置に保持され、主動ギヤは所定の正主動角度位置でのみ従動ギヤと咬み合わされるので、主動ギヤと従動ギヤとの咬み合い位置を所定の位置に設定することが容易となる。
【００２１】
また、本発明の第２の態様に係るギヤ機構の製造方法は、
操作部の角度位置に応じて遊技球の発射威力を変化させる遊技球発射制御装置に用いられるギヤ機構の製造方法であって、
（Ａ）付勢ギヤと所定の角度位置で接触することによって、前記付勢ギヤの回転を制止するストッパを準備する工程と、
（Ｂ）前記付勢ギヤを回転可能に支持する付勢支持部に、前記付勢ギヤを組み付ける工程と、
（Ｃ）前記付勢ギヤを所定の回転方向に付勢する付勢部を、前記付勢ギヤに組み付ける工程と、
（Ｄ）前記付勢部によって回転させられる前記付勢ギヤを前記ストッパに接触させることによって、前記付勢ギヤの角度位置を前記付勢部と前記ストッパとによって保持する工程と、
（Ｅ）複数の歯溝を有する従動ギヤであって、前記複数の歯溝のうちの一部の歯溝である制止部付歯溝が、前記制止部付歯溝の一方の端部である制止端部を埋める制止部を有する、従動ギヤを準備する工程と、
（Ｆ）前記付勢ギヤの角度位置が前記付勢部と前記ストッパとによって保持された後に、前記従動ギヤを従動ギヤ軸に嵌め込むことによって、前記従動ギヤと前記付勢ギヤとを咬み合わせる工程と、
（Ｇ）前記操作部とともに回転し、前記従動ギヤと咬み合わされる主動ギヤであって、
前記制止部と接触すべき部分が欠けている第１種歯と、
前記制止部と接触すべき部分に欠けのない第２種歯と、
前記主動ギヤを回転可能に支持する主動支持部に設けられた第１勘合部と勘合する第２勘合部と、
を有する主動ギヤを準備する工程と、
（Ｈ）角度位置が保持された前記付勢ギヤに前記従動ギヤが咬み合わされた後に、前記主動ギヤを前記主動支持部に嵌め込むことによって、前記主動ギヤと前記従動ギヤとを前記正咬み合い位置で咬み合わせる工程と、
を有し、
前記工程（Ｆ）は、
（Ｆ１）前記従動ギヤが前記従動ギヤ軸に嵌め込まれる際の前記従動ギヤの回転軸に沿った向きを、前記制止部付歯溝の両端のうちの前記制止端部が前記付勢ギヤにより近くなるような向きに設定する工程と、
（Ｆ２）前記従動ギヤが前記従動ギヤ軸に嵌め込まれる際の前記従動ギヤの角度位置を所定の正従動角度位置に設定する工程と、
を含み、
前記従動ギヤと前記付勢ギヤとは、
（Ａ１）前記従動ギヤの角度位置が前記正従動角度位置である場合には、前記従動ギヤの複数の歯溝のうちの前記制止部の無い歯溝が前記付勢ギヤの歯と咬み合う方向に向けられることによって、前記制止部の無い歯溝に前記付勢ギヤの歯が挿入され、
（Ａ２）前記従動ギヤの角度位置が前記正従動角度位置とは異なる角度位置である場合には、前記制止部付歯溝が前記付勢ギヤの歯と噛み合う方向に向けられ、前記制止部が前記付勢ギヤの歯と接触することによって、前記従動ギヤと前記付勢ギヤとの間で歯が歯溝に挿入されることが防止されるように、構成されており、
前記第１種歯と前記第２種歯とは、
（ｉ）前記主動ギヤと前記従動ギヤが所定の正咬み合い位置で咬み合わされた場合には、前記第１種歯と前記制止部付歯溝とが咬み合うことにより、前記制止部によって制止されることなく、前記各ギヤの回転が許容され、
（ｉｉ）前記主動ギヤと前記従動ギヤが前記正咬み合い位置とは異なる位置で咬み合わされた場合には、前記第２種歯と前記制止部とが接触して前記各ギヤの回転が制止されるように構成されており、
前記第２勘合部は、前記主動ギヤの角度位置が所定の正主動角度位置である場合にのみ、前記第１勘合部と勘合することによって前記主動ギヤと前記主動支持部とが嵌め合わせられ得るように構成されており、
前記主動ギヤと前記従動ギヤとは、角度位置が保持された前記付勢ギヤに前記従動ギヤが咬み合わされた後に、前記主動ギヤを前記主動支持部に嵌め込むことによって、前記正咬み合い位置で咬み合わされるように、構成されている。
【００２２】
この製造方法によれば、付勢ギヤの角度位置が付勢部とストッパとによって保持され、従動ギヤが所定の正従動角度位置で付勢ギヤと咬み合わされ、主動ギヤが所定の正主動角度位置で従動ギヤと咬み合わされるので、遊技球発射制御装置のギヤが誤った咬み合い位置で組み付けられることを抑制できる。
【００２３】
また、本発明の第３の態様に係るギヤ機構の製造方法は、
操作部の角度位置に応じて遊技球の発射威力を変化させる遊技球発射制御装置に用いられるギヤ機構の製造方法であって、
（Ａ）複数の歯溝を有する従動ギヤであって、前記複数の歯溝のうちの一部の歯溝である制止部付歯溝が、前記制止部付歯溝の一部を埋める制止部を有する従動ギヤを準備する工程と、
（Ｂ）前記従動ギヤを支持する従動ギヤ軸に、前記従動ギヤを嵌め込む工程と、
（Ｃ）前記操作部とともに回転し、前記従動ギヤと咬み合わされる主動ギヤであって、
前記制止部と接触すべき部分が欠けている第１種歯と、
前記制止部と接触すべき部分に欠けのない第２種歯と、
を有する主動ギヤを準備する工程と、
（Ｄ）前記主動ギヤの角度位置と前記従動ギヤの角度位置とのそれぞれを所定の角度位置に設定した状態で、前記主動ギヤを回転可能に支持する主動支持部に前記主動ギヤを嵌め込むことによって、所定の正咬み合い位置で前記主動ギヤと前記従動ギヤとを咬み合わせる工程と、
（Ｅ）前記主動ギヤと前記従動ギヤとを咬み合わせた後に、所定の回転範囲内を前記主動ギヤが回転可能であるか否かを判定する工程と、
有し、
前記第１種歯と前記第２種歯とは、
（ｉ）前記主動ギヤと前記従動ギヤが前記正咬み合い位置で咬み合わされた場合には、前記第１種歯と前記制止部付歯溝とが咬み合うことにより、前記制止部によって制止されることなく、前記各ギヤの回転が許容され、
（ｉｉ）前記主動ギヤと前記従動ギヤが前記正咬み合い位置とは異なる位置で咬み合わされた場合には、前記第２種歯と前記制止部とが接触して前記各ギヤの回転が制止されるように構成されている。
【００２４】
この製造方法によれば、正咬み合い位置とは異なる位置で主動ギヤと従動ギヤとが咬み合わされた場合には、主動ギヤが回転可能であるか否かを判定する際に、制止部と第２種歯とによって各ギヤの回転が制止されるので、主動ギヤと従動ギヤとの咬み合い位置が正しいか否かを容易に判定することができる。その結果、遊技球発射制御装置のギヤが誤った咬み合い位置で組み付けられることを抑制できる。
【００２５】
なお、この発明は、種々の形態で実現することが可能であり、例えば、遊技球発射制御装置に用いられるギヤ機構、このギヤ機構を備えた遊技球発射制御装置、この遊技球発射制御装置を備えた遊技機、これらの装置の製造方法、等の形態で実現することができる。
【発明を実施するための最良の形態】
【００２６】
以下、本発明の実施の形態について、実施例に基づき以下の順序で説明する。
Ａ．第１実施例：
Ｂ．第２実施例：
Ｃ．第３実施例：
Ｄ．変形例：
【００２７】
Ａ．第１実施例：
図１（ａ）は、遊技球発射ハンドル１００（以下、単に「ハンドル１００」とも呼ぶ）の右側面図である。図１（ｂ）は、ハンドル１００の正面図である。このハンドル１００は、遊技機において遊技球の発射威力を制御する制御装置である。このハンドル１００は、ハンドル基部６０と、回転操作部３０と、前カバー５０と、ストップスイッチ操作部４０と、を備えている。
【００２８】
ハンドル基部６０は、収納容器６１と、収納容器６１の背面に固定された支持部６２と、を有している。支持部６２の背面側は、図示しない遊技機に固定される。収納容器６１の正面側には、回転操作部３０が回転可能に取り付けられる。遊技者は、回転操作部３０を右方向Ｒ（図１（ｂ））に回転させることによって、遊技球の発射威力を増大させることが可能である。回転操作部３０には、遊技者が指を掛けるための３つの指掛け部３０ａ、３０ｂ、３０ｃが設けられている。回転操作部３０の正面側には、正面方向に凸な半球状の前カバー５０が固定されている。
【００２９】
また、図１（ｂ）に示すように、ハンドル基部６０には、ストップスイッチ操作部４０が取り付けられている。このストップスイッチ操作部４０は、ハンドル基部６０の内部に設けられたストップスイッチ（図示省略）のＯＮ／ＯＦＦを切り替えるためのレバーである。遊技者は、このストップスイッチ操作部４０を押すことによって、回転操作部３０の角度位置に拘わらずに、遊技球の発射を停止することができる。
【００３０】
図２は、前カバー５０を外した状態のハンドル１００の正面図である。図中には、回転操作部３０が示されている。回転操作部３０は、収納容器６１の正面を覆う円盤形状を有している。また、回転操作部３０は、周辺部分に設けられたガイド穴３１ａ、３１ｂと、中央部分に設けられた軸穴３３と、軸穴３３の周囲に設けられたねじ穴３２ａ、３２ｂと、バネ止め突起３４と、を有している。図２では、穴３１ａ、３１ｂ、３３にハッチングが付されている。２つのガイド穴３１ａ、３１ｂは、それぞれ回転操作部３０の外縁に沿った円弧状を有しており、軸穴３３を挟んで対向する位置に設けられている。
【００３１】
また、図２では、支柱１３１ａ、１３１ｂ、１３１ｃ、１３４が黒く塗りつぶされて示されている。これらの支柱１３１ａ、１３１ｂ、１３１ｃ、１３４は、いずれも、収納容器６１（図１）から正面に向かって延びている。第１ガイド穴３１ａには、第１ガイド支柱１３１ａが挿入されている。同様に、第２ガイド穴３１ｂには、第２ガイド支柱１３１ｂ、第３ガイド支柱１３１ｃと、第１バネ止め支柱１３４とが挿入されている。回転操作部３０の回転に伴って、各支柱１３１ａ、１３１ｂ、１３１ｃが、ガイド穴３１ａ、３１ｂの中を移動する。回転操作部３０の回転可能な範囲は、これらのガイド穴３１ａ、３１ｂの中を、各支柱１３１ａ、１３１ｂ、１３１ｃが移動可能な範囲に制限される。図２の例では、各ガイド穴３１ａ、３１ｂが略半周に渡る円弧形状を有しているので、回転範囲は、略半周に渡る。
【００３２】
また、第１バネ止め支柱１３４とバネ止め突起３４との間には操作バネＨＳが架けられている。この操作バネＨＳは、支柱１３４から軸穴３３に向かって延び、軸穴３３の周りを右方向Ｒに複数回まわってバネ止め突起３４へ至る金属線で形成されている。操作バネＨＳは、回転操作部３０を左方向Ｌに付勢する。従って、遊技者が回転操作部３０から手を離すと、回転操作部３０は、左方向Ｌに回転し、図２に示す角度位置で止まる。この角度位置では、第１ガイド穴３１ａの右方向Ｒの端部に第１ガイド支柱１３１ａが接触しており、また、第２ガイド穴３１ｂの右方向Ｒの端部に第３ガイド支柱１３１ｃが接触している。
【００３３】
図３（ａ）は、図２に示す状態からさらに回転操作部３０を外したハンドル１００の正面図である。図３（ａ）には、収納容器６１が示されている。収納容器６１は、正面から見た形状が円形状であり、内部が背面方向に窪んだ器形状を有している。収納容器６１には、ガイド支柱１３１ａ、１３１ｂ、１３１ｃと、バネ止め支柱１３４、２６６と、ストッパ支柱ＳＴ（以下、単に「ストッパ」とも呼ぶ）と、付勢ギヤ軸支柱２５０（以下、単に「付勢ギヤ軸２５０」とも呼ぶ）と、を有している。これらの支柱１３１ａ、１３１ｂ、１３１ｃ、１３４、２６６、ＳＴ、２５０は、いずれも、収納容器６１の背面側から正面側に向かって延びている。
【００３４】
付勢ギヤ軸２５０には付勢ギヤ２４０が、回転可能に取り付けられている。この付勢ギヤ２４０と第２バネ止め支柱２６６との間には付勢バネ２６０が架けられている。この付勢バネ２６０によって、付勢ギヤ２４０は、左方向Ｌに付勢される。また、図３（ｂ）は、ストッパ支柱ＳＴ周辺の拡大正面図である。付勢ギヤ２４０の側面には突出部ＤＳＴが設けられている。付勢ギヤ２４０が左方向Ｌに回転する場合には、突出部ＤＳＴがストッパＳＴに接触する角度位置まで、付勢ギヤ２４０は回転可能である。
【００３５】
また、抵抗軸２３０には従動ギヤ２２０が固定されている。抵抗軸２３０は、その角度位置に応じて可変抵抗器（図示省略）の抵抗値を変化させる回転軸である。付勢ギヤ２４０と従動ギヤ２２０とは、所定の正しい咬み合い位置（２つのギヤ間の相対的な角度位置）で咬み合っている。
【００３６】
また、収納容器６１の中央には、主動ギヤ２００が取り付けられている。この主動ギヤ２００は、収納容器６１の軸受け部（図示省略。詳細は後述）に、回転可能に取り付けられている。主動ギヤ２００は、回転操作部３０（図１、図２）が固定される固定部２００ｆと、固定部２００ｆの背面側に設けられたギヤ部２００ｇと、を有している。主動ギヤ２００（ギヤ部２００ｇ）と従動ギヤ２２０とは所定の正しい咬み合い位置で咬み合っている。なお、固定部２００ｆには２つのねじ穴２０２ａ、２０２ｂが設けられている。これらのねじ穴２０２ａ、２０２ｂには、回転操作部３０（図２）のねじ穴３２ａ、３２ｂがそれぞれ対向し、そして、これらの穴を貫通するネジ（図示省略）によって回転操作部３０が固定部２００ｆ（主動ギヤ２００）に固定される。
【００３７】
なお、３つのギヤ２００、２２０、２４０と、これらのギヤを支持する支持部（例えば、付勢ギヤ軸２５０と抵抗軸２３０と、主動ギヤ２００を支持する軸受け部（図示省略））と、付勢バネ２６０と、ストッパＳＴとは、ギヤ機構３００を構成する。
【００３８】
また、収納容器６１には、ストップスイッチ１２０が固定されている。このストップスイッチ１２０は、ストップスイッチ操作部４０によって操作される。
【００３９】
図４は、互いに咬み合わされた主動ギヤ２００と従動ギヤ２２０と付勢ギヤ２４０とを示す斜視図である。主動ギヤ２００は、固定部２００ｆの中央から正面に向かって突出する支持軸２００ｈを有している。この支持軸２００ｈは、回転操作部３０（図２）の軸穴３３に挿入される。また、図４には可変抵抗器ＶＲが示されている。図４では図示が省略されているが、この可変抵抗器ＶＲは、収納容器６１（図１）の背面側の支持部６２の内部に固定されている。可変抵抗器ＶＲは抵抗軸２３０を有しており、この抵抗軸２３０は収納容器６１を貫通して正面側に延びている。
【００４０】
また、この可変抵抗器ＶＲは、図示しない遊技球発射装置に接続されている。この遊技球発射装置による発射威力は、可変抵抗器ＶＲの抵抗値に応じて調整される。このような遊技球発射装置の構成としては、遊技球を打撃する打撃用パッドを、ソレノイドを用いて駆動する構成や、モータとバネとを用いて打撃用ハンマを駆動する構成等の種々の構成を採用することができる。
【００４１】
なお、第１実施例では、主動ギヤ２００の回転軸Ｒ２００と、従動ギヤ２２０の回転軸Ｒ２２０とは平行である。また、従動ギヤ２２０の回転軸Ｒ２２０と付勢ギヤ２４０の回転軸Ｒ２４０とも平行である。いずれの回転軸Ｒ２００、Ｒ２２０、Ｒ２４０も、正面から背面へ向かう方向と平行である。また、これらのギヤ２００、２２０、２４０の歯（歯溝）は、回転軸と平行に延びている。
【００４２】
図５は、収納容器６１内部（正面側）の概略構成を示す斜視図である。この斜視図は、図４の斜視図と同じ方向から見たものである。図５には、軸受け部２１０と、ストッパＳＴと、抵抗軸２３０と、付勢ギヤ軸２５０と、第２バネ止め支柱２６６と、が示されている。他の構成要素（例えば、図２のガイド支柱１３１ａ）は図示が省略されている。なお、収納容器６１の側面に設けられた切り欠き６１ｖは、ストップスイッチ操作部４０（図３）の端部を収納容器６１の外に出すためのものである。
【００４３】
軸受け部２１０は、収納容器６１から正面側に向かって延びる中空の円筒形状を有している。後述するように、この軸受け部２１０の内側に形成される穴２１０ｈには、主動ギヤ２００が回転可能に挿入される。また、この軸受け部２１０の内側には、背面側から正面側に向かって延びる溝２１０ａが設けられている。
【００４４】
図６（ａ）は、主動ギヤ２００の斜視図であり、図６（ｂ）は、主動ギヤ２００の背面図である。主動ギヤ２００は、固定部２００ｆの中央から背面側に向かって延びる突出軸２００ｊを有している。この突出軸２００ｊは、軸受け部２１０（図５）に挿入される。また、突出軸２００ｊの端部の側面には、突起部２００ｊｔが設けられている。図６（ｂ）に示すように、この突起部２００ｊｔは、背面から見たときに突出軸２００ｊの中心（回転軸Ｒ２００）から外に向かう所定の方向Ｄ１に突出している。この突起部２００ｊｔは、突出軸２００ｊを軸受け部２１０（図５）に挿入する際に、溝２１０ａを通される（詳細は後述）。
【００４５】
ギヤ部２００ｇの歯は、突出軸２００ｊの周囲の略半周に渡る仮想的な円弧２００ａ上に設けられており、固定部２００ｆの背面側から背面に向かって延びている。この円弧２００ａは、主動ギヤ２００（すなわち、回転操作部３０（図２））の回転範囲に対応している。換言すれば、この円弧２００ａは、回転操作部３０の回転によって従動ギヤ２２０（図４）と咬み合い得る範囲と同じである。
【００４６】
また、ギヤ部２００ｇは、歯幅の狭い狭歯部２００ｇｎ１、２００ｇｎ２と、歯幅の広い広歯部２００ｇｗとによって構成されている。ここで、歯幅とは、１つの歯の幅を意味している。図６の例では、歯は回転軸Ｒ２００と平行に延びているので、歯幅は、回転軸Ｒ２００に沿った長さ、すなわち、正面から背面に向かう方向の長さを表している。
【００４７】
第１実施例では、各狭歯部２００ｇｎ１、２００ｇｎ２の歯幅は同じである。また、広歯部２００ｇｗの歯（図６の例では、２本の歯）は、他の歯よりも背面側に突出している。これらの歯部は、円弧２００ａ上に、第１狭歯部２００ｇｎ１、広歯部２００ｇｗ、第２狭歯部２００ｇｎ２の順番に配置されている。なお、第２狭歯部２００ｇｎ２の歯のうちの、円弧２００ａの端に設けられた所定の３つの歯２００ｐは、主動ギヤ２００の組み付け時に従動ギヤ２２０の歯溝に挿入される（後述）。
【００４８】
図７（ａ）は、従動ギヤ２２０の斜視図であり、図７（ｂ）は、従動ギヤ２２０の正面図である。従動ギヤ２２０は、円筒形のギヤである。従動ギヤ２２０の中央には貫通軸穴２２０ｈが形成されている。この貫通軸穴２２０ｈは、抵抗軸２３０（図５）に嵌め合わされる。なお、貫通軸穴２２０ｈと抵抗軸２３０との断面は略同じ形状を有しており、その形状は、円形状の一部が直線の弦で切り落とされた形状である。従って、従動ギヤ２２０を抵抗軸２３０に組み付けた場合に、従動ギヤ２２０と抵抗軸２３０との間の相対的な角度位置は一意に決まる。そして、従動ギヤ２２０が回転した場合に、抵抗軸２３０が滑ることが防止される。なお、断面の形状としては、図７に示す形状に限らず、他の任意の形状を採用可能である。例えば、円を採用してもよく、また、２等辺三角形を採用してもよい。ただし、従動ギヤ２２０と抵抗軸２３０との間の相対的な角度位置が一意に決まるような形状であることが好ましい。換言すれば、回転対称の角度が３６０度のみであるような形状が好ましい。
【００４９】
また、従動ギヤ２２０の全周には、歯が設けられている。また、一部の歯溝の背面側の端部がツバ２２０ｆによって埋められている。残りの歯溝２２０ｐ（図７の例では２つの歯溝）にはツバは設けられていない。従動ギヤ２２０（図４）が付勢ギヤ２４０と咬み合わされる際には、これらのツバ無し歯溝２２０ｐに付勢ギヤ２４０の歯が挿入される（詳細は後述）。
【００５０】
なお、一部の所定の歯２２０ｃ（図７の例では２つの歯）の正面側の端部には、面取り加工が施されている。これは、主動ギヤ２００が咬み合わされる際に、これらの歯２２０ｃに隣接する３つの所定の歯溝２２０ｑに、主動ギヤ２００の歯を滑らかに挿入するためである。
【００５１】
図８（ａ）、図８（ｂ）は、付勢ギヤ２４０の斜視図であり、図８（ｃ）は、付勢ギヤ２４０の正面図である。図８（ｂ）の斜視図は、図８（ａ）とは反対側の角度位置を示している。付勢ギヤ２４０は円筒形のギヤであり、中空円筒状の内周部２４０ｉと、内周部２４０ｉの外周を囲む外周部２４０ｏと、外周部２４０ｏの周囲に略半周に渡って設けられた複数の歯２４０ｔと、を有している。内周部２４０ｉの内には、付勢ギヤ軸２５０（図５）に嵌め合わされる貫通軸穴２４０ｈが設けられている。内周部２４０ｉと外周部２４０ｏとの間には、付勢バネ２６０（図４）が納められるバネ溝２４０ｓが形成されている。また、外周部２４０ｏの正面側には、付勢バネ２６０を掛けるためのバネ止め溝２４０ａが形成されている。なお、付勢バネ２６０は、第２バネ止め支柱２６６（図５）からバネ溝２４０ｓへ向かって延び、バネ溝２４０ｓの内部で内周部２４０ｉの周りを右方向Ｒに複数回まわってバネ止め溝２４０ａへ至る金属線で形成されている。
【００５２】
また、外周部２４０ｏの側面には突出部ＤＳＴが設けられている。この突出部ＤＳＴは、付勢ギヤ２４０が回転した際に、所定の角度位置でストッパＳＴに接触するように形成されている。
【００５３】
図９は、各ギヤ２００、２２０、２４０の動作を示す説明図である。図９には、互いに咬み合わされた主動ギヤ２００と従動ギヤ２２０と付勢ギヤ２４０との正面図が示されている。遊技者が回転操作部３０（図２）を右方向Ｒに操作すると、回転操作部３０に固定された主動ギヤ２００が右方向Ｒに回転する。これにより従動ギヤ２２０が左方向Ｌに回転し、抵抗軸２３０も左方向Ｌに回転するので、可変抵抗器ＶＲ（図４）の抵抗値が所定の方向に変化する（例えば、抵抗値が減少する。この代わりに、抵抗値が増大してもよい）。この可変抵抗器ＶＲは、図示しない遊技球発射装置に接続されており、この抵抗値の変化により、遊技球の発射威力が増大される。また、付勢ギヤ２４０は、右方向Ｒに回転する。
【００５４】
逆に、遊技者が回転操作部３０（図２）を左方向Ｌに操作すると、主動ギヤ２００が左方向Ｌに回転する。これにより従動ギヤ２２０が右方向Ｒに回転し、抵抗軸２３０も右方向Ｒに回転するので、可変抵抗器ＶＲ（図４）の抵抗値が逆方向に変化する。この抵抗値の変化により、遊技球の発射威力が低減される。また、付勢ギヤ２４０は左方向Ｌに回転する。
【００５５】
ここで、発射威力を微調整するために、遊技者が回転操作部３０を少しだけ回転させる場合がある。このように主動ギヤ２００の回転角度が小さい場合には、主動ギヤ２００と従動ギヤ２２０との咬み合いの遊び（バックラッシュ）に起因して、従動ギヤ２２０が動かない可能性がある。ところが、第１実施例では、従動ギヤ２２０に付勢ギヤ２４０が咬み合わされている。この付勢ギヤ２４０は付勢バネ２６０によって左方向Ｌに付勢されているので、従動ギヤ２２０は右方向Ｒに付勢される。その結果、回転操作部３０の回転角度が小さい場合であっても、従動ギヤ２２０は、主動ギヤ２００の回転に追従して回転することができる。従って、従動ギヤ２２０の角度位置の細かい調整が容易となり、その結果、遊技球発射ハンドル１００による発射威力の細かい調整が容易となる。
【００５６】
図１０は、ハンドル１００の製造工程を示すフローチャートである。最初のステップＳ１００では、ハンドル基部６０が準備される。図１１は、準備されたハンドル基部６０（収納容器６１）の正面図である。このステップＳ１００では、収納容器６１にストップスイッチ１２０とストップスイッチ操作部４０とが組み込まれる。また、可変抵抗器ＶＲ（図示省略）が収納容器６１に固定され、その抵抗軸２３０が正面側に突出している。
【００５７】
次のステップＳ１１０（図１０）では、付勢ギヤ２４０が付勢ギヤ軸２５０に嵌められる。図１２は、このステップＳ１１０における収納容器６１の正面図である。付勢ギヤ軸２５０に付勢ギヤ２４０が組み付けられている。
【００５８】
次のステップＳ１２０（図１０）では、付勢ギヤ２４０に付勢バネ２６０が取り付けられる。図１３は、このステップＳ１２０における収納容器６１の正面図である。第２バネ止め支柱２６６に付勢バネ２６０の一端がネジ止めされ、他端は付勢ギヤ２４０のバネ止め溝２４０ａに掛けられる。この付勢バネ２６０により、付勢ギヤ２４０には左方向Ｌに付勢される。そして、付勢ギヤ２４０は、突出部ＤＳＴがストッパＳＴに接触するまで左方向Ｌに回転する。その結果、付勢ギヤ２４０の角度位置は、突出部ＤＳＴがストッパＳＴに接触する所定の角度位置に保持される。
【００５９】
次のステップＳ１３０（図１０）では、従動ギヤ２２０が抵抗軸２３０に嵌められる。図１４は、このステップＳ１３０における従動ギヤ２２０と抵抗軸２３０と付勢ギヤ２４０とを示す側面図である。従動ギヤ２２０は、正面側から背面側に向かって移動されて、抵抗軸２３０に装着される。この際、従動ギヤ２２０の角度位置は所定の角度位置に設定される。また、従動ギヤ２２０の回転軸Ｒ２２０に沿った向きは、ツバ２２０ｆが付勢ギヤ２４０に近くなる向きに設定される。すなわち、ツバ２２０ｆが背面側に向けられる。
【００６０】
図１５（ａ）は、従動ギヤ２２０と付勢ギヤ２４０とを示す正面図である。図１５（ａ）に示すように、２つのツバ無し歯溝２２０ｐが、付勢ギヤ２４０の歯と咬み合う方向、すなわち、付勢ギヤ２４０に向かう方向に向けられている。そして、２つのツバ無し歯溝２２０ｐに付勢ギヤ２４０の所定の歯２４０ｑが挿入される。また、図１５（ｂ）は、図１４と同様の側面図を示しており、装着後の従動ギヤ２２０と付勢ギヤ２４０とを示している。ツバ２２０ｆが、付勢ギヤ２４０の歯よりも背面側の位置まで移動され、そして、従動ギヤ２２０と付勢ギヤ２４０とが互いに咬み合っている。
【００６１】
図１６（ａ）、図１６（ｂ）は、図１５（ａ）、図１５（ｂ）と同様の正面図と側面図をそれぞれ示している。だたし、これらの図には、従動ギヤ２２０の角度位置が、図１５の場合よりも歯１つ分だけ左方向Ｌにずれた場合が示されている。この場合には、ツバ２２０ｆの下（背面側）に付勢ギヤ２４０の歯が接触するので（図１６（ａ））、従動ギヤ２２０を付勢ギヤ２４０に咬み合わせることができない。一方、図１７（ａ）、図１７（ｂ）は、逆に、従動ギヤ２２０の角度位置が、図１５の角度位置よりも歯１つ分だけ右方向Ｒにずれた場合の正面図と側面図をそれぞれ示している。この場合も、ツバ２２０ｆの下（背面側）に付勢ギヤ２４０の歯が接触するので（図１７（ａ））、従動ギヤ２２０を付勢ギヤ２４０に咬み合わせることができない。従動ギヤ２２０の角度位置のズレが、歯１つ分よりも大きい場合も、同様に、従動ギヤ２２０と付勢ギヤ２４０との間で歯が歯溝に挿入されることが防止される。
【００６２】
なお、第１実施例では、従動ギヤ２２０の歯溝のうち２つのツバ無し歯溝２２０ｐ以外の他の歯溝の全てにツバ２２０ｆが設けられている。従って、従動ギヤ２２０は、従動ギヤ２２０の角度位置が、図１５（ａ）に示すような所定の角度位置である場合にのみ、従動ギヤ２２０を付勢ギヤ２４０と咬み合わせることが可能である。従って、所定の角度位置とは異なる角度位置で従動ギヤ２２０が組み付けられることが防止される。
【００６３】
また、第１実施例では、付勢ギヤ２４０の角度位置が、付勢バネ２６０とストッパＳＴと突出部ＤＳＴとによって所定の角度位置に保持されている（図１３）。従って、従動ギヤ２２０と付勢ギヤ２４０との間の相対的な角度位置（咬み合い位置）も、図１５（ａ）に示すような所定の咬み合い位置に設定される。そして、従動ギヤ２２０の角度位置は、図１５（ａ）に示す所定の角度位置に保持される。
【００６４】
次のステップＳ１４０（図１０）では、主動ギヤ２００が軸受け部２１０に嵌められる。図１８は、このステップＳ１４０における主動ギヤ２００と軸受け部２１０とを示す側面図である。主動ギヤ２００（突出軸２００ｊ）は、正面側がら背面側に向かって移動されて、軸受け部２１０の穴２１０ｈに挿入される。この際、突起部２００ｊｔが溝２１０ａに挿入される。
【００６５】
図１８では、穴２１０ｈを形成する壁部分にハッチングが付されている。穴２１０ｈは、正面側に位置する幅狭部２１０ｎと、幅狭部２１０ｎの背面側に位置する幅広部２１０ｗとを含んでいる。幅狭部２１０ｎは、軸受け部２１０の正面側の端部から背面側に向かって延びる穴であり、その断面（回転軸Ｒ２００に垂直な断面）の形状は、突出軸２００ｊの断面形状とほぼ同じ大きさの円形状である。ただし、この幅狭部２１０ｎには、溝２１０ａが形成されている。一方、幅広部２１０ｗは、幅狭部２１０ｎの背面側に設けられ、背面側に向かって延びる穴であり、その断面は、幅狭部２１０ｎと同軸の円形状である。ただし、幅広部２１０ｗの断面は、幅狭部２１０ｎの断面よりも広く、溝２１０ａの断面の全体を含んでいる。
【００６６】
図１９（ａ）は、主動ギヤ２００と軸受け部２１０とを示す正面図である。図中では、軸受け部２１０の穴を形成する壁部分にハッチングが付されている。図示するように、ギヤ２００角度位置は、正面側から背面側に向かって見たときに、突起部２００ｊｔと溝２１０ａとが重なる角度位置に設定される。これにより、主動ギヤ２００の所定の３つの歯２００ｐが、従動ギヤ２２０と咬み合う方向を向く。また、図１９（ｂ）は、図１８と同様の側面図を示しており、装着後の主動ギヤ２００と従動ギヤ２２０とを示している。主動ギヤ２００と従動ギヤ２２０とが互いに咬み合っている。また、突起部２００ｊｔが、幅広部２１０ｗまで移動されている。なお、突起部２００ｊｔが幅広部２１０ｗ内に位置する状態においては、突起部２００ｊｔは溝２１０ａに係らないので、主動ギヤ２００は回転可能である。
【００６７】
図２０（ａ）、図２０（ｂ）は、図１９（ａ）、図１９（ｂ）と同様の正面図と側面図をそれぞれ示している。ただし、これらの図には、主動ギヤ２００の角度位置が左方向Ｌにずれた場合が示されている。この場合には、突起部２００ｊｔが軸受け部２１０の壁の上面部分に接触するので（図２０（ａ））、突出軸２００ｊを軸受け部２１０に挿入することができない。一方、図２１（ａ）、図２１（ｂ）は、逆に、主動ギヤ２００の角度位置が、図１９の角度位置よりも右方向Ｒにずれた場合の正面図と側面図をそれぞれ示している。この場合も、突起部２００ｊｔが軸受け部２１０の壁の上面部分に接触するので（図２１（ａ））、突出軸２００ｊを軸受け部２１０に挿入することができない。
【００６８】
なお、第１実施例では、突起部２００ｊｔと溝２１０ａとの角度位置は、図１９（ａ）に示すように主動ギヤ２００の所定の３つの歯２００ｐが従動ギヤ２２０へ向かう方向を向くように、予め設定されている。従って、このような所定の角度位置でのみ、主動ギヤ２００を従動ギヤ２２０と咬み合わせることが可能である。従って、主動ギヤ２００が所定の角度位置とは異なる角度位置で組み付けられることを抑制できる。
【００６９】
また、第１実施例では、従動ギヤ２２０の角度位置が、付勢ギヤ２４０によって所定の角度位置に保持されている（図１５（ａ））。従って、主動ギヤ２００と従動ギヤ２２０との間の咬み合い位置も、図１９（ａ）に示すような所定の正しい咬み合い位置に設定される。具体的には、咬み合い位置が、所定の３つの歯２００ｐ（図１９（ａ））が、所定の３つの歯溝２２０ｑに挿入されるような咬み合い位置に設定される。
【００７０】
次のステップＳ１５０（図１０）では、回転操作部３０が固定部２００ｆに固定される（図２）。そして、前カバー５０が回転操作部３０に固定される（図１（ｂ））。そして、遊技球発射ハンドル１００が完成する。
【００７１】
以上のように、第１実施例では、主動ギヤ２００と従動ギヤ２２０との咬み合い位置を、細かい位置合わせをすることなく、容易に、正しい咬み合い位置に設定することができるので、遊技球発射制御装置のギヤが誤った位置で組み付けられることを抑制することができる。また、従動ギヤ２２０と付勢ギヤ２４０との咬み合い位置も、細かい位置合わせをすることなく、容易に、正しい咬み合い位置に設定することもできる。その結果、従動ギヤ２２０に、適切な付勢力をかけることが容易となる。
【００７２】
なお、主動ギヤ２００と従動ギヤ２２０とが誤った咬み合い位置に組み付けられてしまう場合がある。例えば、図１０のステップＳ１３０で、付勢ギヤ２４０に余計な力がかかってしまい、従動ギヤ２２０と付勢ギヤ２４０との咬み合い位置がずれてしまう場合や、ステップＳ１４０で、従動ギヤ２２０に余計な力がかかってしまい、主動ギヤ２００と従動ギヤ２２０との咬み合い位置がずれてしまう場合である。ただし、第１実施例では、主動ギヤ２００と従動ギヤ２２０との咬み合い位置がずれた場合には、主動ギヤ２００が正常に回転できなくなる。図２２（ａ）は、主動ギヤ２００と従動ギヤ２２０との咬み合い位置を説明する斜視図である。また、図２２（ｂ）は、主動ギヤ２００と従動ギヤ２２０との咬み合い位置を説明する側面図である。図２２（ｂ）は、互いに咬み合う主動ギヤ２００と従動ギヤ２２０とを、回転軸とは垂直な方向に引き離して示している。
【００７３】
図２２（ｂ）には、正面から背面へ向かう方向の位置ＮＴ、ＷＴが図示されている。第１位置ＮＴは、狭歯部２００ｇｎ１、２００ｇｎ２（図６）の歯の背面側の端部の位置を示し、第２位置ＷＴは、広歯部２００ｇｗの歯の背面側の端部の位置を示している。第１位置ＮＴは、ツバ２２０ｆよりも正面側に位置している。すなわち、狭歯部２００ｇｎ１、２００ｇｎ２の歯は、固定部２００ｆの背面側からツバ２２０ｆに向かって、ツバ２２０ｆの手前まで延びている。換言すれば、狭歯部２００ｇｎ１、２００ｇｎ２の歯については、ツバ２２０ｆと接触すべき部分が欠けている。主動ギヤ２００と従動ギヤ２２０とが正しい咬み合い位置で咬み合っている場合には、狭歯部２００ｇｎ１、２００ｇｎ２の歯は、ツバ２２０ｆ付きの歯溝と咬み合うとともに、ツバ２２０ｆとは接触しない。また、図１０のステップＳ１４０で従動ギヤ２２０の歯溝に挿入される主動ギヤ２００の歯２００ｐ（図１９（ａ））は、第２狭歯部２００ｇｎ２の歯である（図６）。従って、これらの歯２００ｐがツバ２２０ｆに接触することなく、主動ギヤ２００を軸受け部２１０に組み付けることができる。
【００７４】
一方、第２位置ＷＴは、ツバ２２０ｆの背面側部分と同じ位置である。すなわち、広歯部２００ｇｗの歯は、他の狭歯部２００ｇｎ１、２００ｇｎ２の歯と比べてツバ２２０ｆに向かって突出している。また、広歯部２００ｇｗの歯は、固定部２００ｆの背面側からツバ２２０ｆに向かって、ツバ２２０ｆと接触する位置まで延びている。図２２（ａ）、図２２（ｂ）では、広歯部２００ｇｗの歯の背面側の端部２００ｇｗｔにハッチングが付されている。図１９（ａ）に示すような正しい咬み合い位置でギヤ２００、２２０が咬み合っている場合には、広歯部２００ｇｗの２つの歯は、２つのツバ無し歯溝２２０ｐと咬み合う。従って、端部２００ｇｗｔはツバ２２０ｆとは接触しないので、これらのギヤ２００、２２０の回転が許容される。一方、正しい咬み合い位置とは異なる咬み合い位置でギヤ２００、２２０が咬み合っている場合には、広歯部２００ｇｗの２つの歯の少なくとも一方と咬み合うべき歯溝が、いずれかのツバ２２０ｆ付きの歯溝となる。そして、端部２００ｇｗｔが、ツバ２２０ｆと接触するので、これらのギヤ２００、２２０の回転が制止される。
【００７５】
以上のように、所定の回転範囲内を主動ギヤ２００が回転可能か否かを確認することによって、主動ギヤ２００と従動ギヤ２２０との咬み合い位置が正しいか否かを容易に判定することが可能である。その結果、遊技球発射制御装置のギヤが誤った位置で組み付けられることを抑制することが容易となる。このように、ハンドル１００の製造工程には、主動ギヤ２００と従動ギヤ２２０とを咬み合わせた後に、所定の回転範囲内を主動ギヤ２００が回転可能であるか否かを判定する工程を設けることが好ましい。このような判定工程は、例えば、図１０のステップＳ１４０とステップＳ１５０の間に設けてもよく、また、ステップＳ１５０の後に設けてもよい。いずれの場合も、判定工程では、主動ギヤ２００（あるいは、回転操作部３０）を実際に回転させればよい。また、所定の回転範囲としては、主動ギヤ２００が回転すべき任意の範囲を採用可能である。なお、第１実施例では、各ギヤ２００、２２０、２４０に余計な力をかけなければ、各ギヤ２００、２２０、２４０が正しい咬み合い位置に組み付けられるので、このような判定工程を省略することが可能である。
【００７６】
また、図２２（ｂ）には、主動ギヤ２００の歯の歯幅であって、歯溝に挿入される部分の歯幅ＮＷ、ＷＷ（以下「挿入歯幅ＮＷ、ＷＷ」とも呼ぶ）が示されている。換言すれば、これらの挿入歯幅ＮＷ、ＷＷは、歯のうちの従動ギヤ２２０の歯溝と接触し得る部分の幅を示している。第１挿入歯幅ＮＷは、狭歯部２００ｇｎ１、２００ｇｎ２（図６）の歯の挿入歯幅を示している。具体的には、第１挿入歯幅ＮＷは、従動ギヤ２２０の正面側の端部２２０Ｔから第１位置ＮＴまでの長さである。同様に、第２挿入歯幅ＷＷは、広歯部２００ｇｗの歯の挿入歯幅を示している。具体的には、第２挿入歯幅ＷＷは、端部２２０Ｔから第２位置ＷＴまでの長さである。ここで、第２挿入歯幅ＷＷは第１挿入歯幅ＮＷよりも長い。一方、第１実施例では、図６に示すように、主動ギヤ２００の歯は、３６０度よりも小さい角度の円弧２００ａ上に配置されている。さらに、狭歯部２００ｇｎ１、２００ｇｎ２の歯は、円弧２００ａの両端部分に配置され、広歯部２００ｇｗの歯は、円弧の途中に配置されている。これらの結果、主動ギヤ２００の角度位置が回転範囲の途中である場合には、歯幅の広い歯（広歯部２００ｇｗの歯）が従動ギヤ２２０と咬み合うこととなる。
【００７７】
ところで、遊技者は、回転操作部３０（図２）の角度位置を、回転範囲の端部に設定することは稀であり、回転操作部３０の角度位置の調整を、回転範囲の途中で行うことが一般的である。従って、主動ギヤ２００の複数の歯のうちの回転範囲の途中に設けられた歯については、遊技者による角度位置の調整（回転）に伴って、従動ギヤ２２０に対する咬合と離脱とが頻繁に繰り返される。そのために、回転範囲の途中に設けられた歯は、回転範囲の端部に設けられた歯と比べて、摩耗の程度が大きくなる場合が多かった。ところが、第１実施例では、回転範囲の途中には、挿入歯幅の広い広歯部２００ｇｗが配置されている。従って、回転範囲の途中の歯が摩耗してしまうことを抑制し、ギヤ機構３００、すなわち、ハンドル１００の寿命が短くなることを抑制できる。
【００７８】
Ｂ．第２実施例：
上述の第１実施例では、従動ギヤ２２０（図７）の歯溝の一部を埋めるツバ２２０ｆ（本発明の「制止部」に相当する）が、歯溝の一端に設けられていたが、制止部の位置としては、任意の位置を採用可能である。例えば、歯溝の途中に制止部を設けてもよい。図２３は、第２実施例における主動ギヤ５００と従動ギヤ５２０とを示す斜視図である。遊技球発射ハンドル１００の他の要素の構成は、上述の第１実施例と同様である。
【００７９】
第２実施例では、従動ギヤ５２０の所定の１つの歯溝５２０ｐの途中に制止部５２０ｆが設けられている。他の歯溝には制止部は設けられていない。また、主動ギヤ５００の所定の１つの歯５００ｑの途中に切り欠き５００ｂが設けられている。他の歯には切り欠きは設けられていない。なお、第２実施例では、主動ギヤ５００の複数の歯の歯幅はいずれも同じである。
【００８０】
正しい咬み合い位置で主動ギヤ５００と従動ギヤ５２０とが咬み合わされた場合には、この歯５００ｑと歯溝５２０ｐとが咬み合わされる。この際、制止部５２０ｆは切り欠き５００ｂに嵌め込まれる。その結果、主動ギヤ５００と従動ギヤ５２０との回転が許容される。
【００８１】
一方、誤った咬み合い位置で主動ギヤ５００と従動ギヤ５２０とが咬み合わされた場合には、制止部５２０ｆ付きの歯溝５２０ｐと咬み合うべき歯が、切り欠き付きの歯５００ｑとは異なる他の歯となる。この歯は、制止部５２０ｆと接触するので、これらのギヤ５００、５２０の回転が制止される。
【００８２】
以上のように、第２実施例においても、所定の回転範囲内を主動ギヤ５００が回転可能か否かを確認することによって、主動ギヤ５００と従動ギヤ５２０との咬み合い位置が正しいか否かを容易に判定することが可能である。
【００８３】
なお、第２実施例では、制止部５２０ｆが歯溝の途中に設けられているので、従動ギヤ５２０の角度位置が所定の角度位置とは異なる場合であっても、従動ギヤ５２０を付勢ギヤ（例えば、図１４の付勢ギヤ２４０）と咬み合わせることが可能である。そこで、従動ギヤ５２０を抵抗軸２３０（図１３）に嵌め込む際には、従動ギヤ５２０に力を加え、その角度位置を所定の角度位置に保持した状態で、従動ギヤ５２０を抵抗軸２３０に嵌め込むことが好ましい。そのためには、従動ギヤ５２０に、その角度位置を確認するための印（図示せず）を設けることが好ましい。また、制止部５２０ｆの回転軸に沿った位置を、付勢ギヤ２４０（図１５）の歯と接触しないような位置（例えば、付勢ギヤ２４０の歯よりも正面側の位置）に設定すればよい。
【００８４】
また、第２実施例の従動ギヤ５２０において、第１実施例の従動ギヤ２２０（図７）と同様に、制止部５２０ｆの無い歯溝が２つのみであり、他の残りの歯溝の全てに制止部５２０ｆを設けても良い。この場合には、主動ギヤ５００において、第１実施例の主動ギヤ２００（図６）と同様に、切り欠き５００ｂの無い歯が２つのみであり、他の残りの歯の全てに切り欠き５００ｂを設ければよい。ここで、従動ギヤ５２０と主動ギヤ５００とを咬み合わせる際には、制止部５２０ｆ無い歯溝に、切り欠き５００ｂの無い歯を挿入すればよい。
【００８５】
Ｃ．第３実施例：
上述の第１実施例では、ツバ２２０ｆ（図２２）が歯溝の背面側の端部に設けられていたが、この代わりに、正面側の端部に設けられていても良い。図２４は、第３実施例における主動ギヤ７００と従動ギヤ７２０とを示す側面図である。この側面図は、図２２（ｂ）と同様の側面図であり、主動ギヤ７００と従動ギヤ７２０とが互いに離れて示されている。図２２（ｂ）に示す第１実施例との差違は２点ある。１点目の差異は、主動ギヤ７００の狭歯部２００ｇｎ１、２００ｇｎ２の位置が、背面側にシフトしている点である。２点目の差異は、従動ギヤ７２０のツバ７２０ｆが、背面側の端部の代わりに正面側の端部に設けられている点である。他の構成は、図２２に示す第１実施例と同じである。また、遊技球発射ハンドル１００の他の要素の構成も、上述の第１実施例と同様である。
【００８６】
図２４に示すように、第３実施例では、狭歯部２００ｇｎ１、２００ｇｎ２の歯は、背面側（従動ギヤ７２０の背面側の端部７２０Ｔと対向する位置）からツバ７２０ｆに向かって、ツバ７２０ｆの手前まで延びている。換言すれば、狭歯部２００ｇｎ１、２００ｇｎ２の歯については、ツバ７２０ｆと接触すべき部分が欠けている。従って、狭歯部２００ｇｎ１、２００ｇｎ２の歯は、主動ギヤ７００と従動ギヤ７２０との咬み合い位置に関わらずに、ツバ７２０ｆとは接触しない。
【００８７】
一方、広歯部２００ｇｗの歯は、他の狭歯部２００ｇｎ１、２００ｇｎ２の歯と比べてツバ７２０ｆに向かって突出している。また、広歯部２００ｇｗの歯は、背面側（従動ギヤ７２０の背面側の端部７２０Ｔと対向する位置）からツバ７２０ｆに向かって、ツバ７２０ｆと接触する位置まで延びている。正しい咬み合い位置でギヤ７００、７２０が咬み合っている場合には、広歯部２００ｇｗの２つの歯は、２つのツバ無し歯溝（図示省略）と咬み合う。従って、広歯部２００ｇｗの歯の正面側の端部７００ｇｗｔはツバ７２０ｆとは接触しないので、これらのギヤ７００、７２０は滑らかに回転することができる。一方、正しい咬み合い位置とは異なる咬み合い位置でギヤ７００、７２０が咬み合っている場合には、端部７００ｇｗｔが、いずれかのツバ７２０ｆと接触するので、これらのギヤ７００、７２０の回転が制止される。
【００８８】
以上のように、第３実施例においても、所定の回転範囲内を主動ギヤ７００が回転可能か否かを確認することによって、主動ギヤ７００と従動ギヤ７２０との咬み合い位置が正しいか否かを容易に判定することが可能である。
【００８９】
また、図２４には、図２２（ｂ）と同様の挿入歯幅ＮＷ、ＷＷが示されている。第３実施例でも、第２挿入歯幅ＷＷは第１挿入歯幅ＮＷよりも広い。従って、第１実施例と同様に、回転範囲の途中の歯が摩耗してしまうことを抑制し、ハンドルの寿命が短くなることを抑制できる。
【００９０】
なお、第３実施例においては、上述の第２実施例と同様に、従動ギヤ７２０を抵抗軸２３０（図１３）に嵌め込む際には、従動ギヤ７２０の角度位置を所定の角度位置に合わせた状態で、従動ギヤ７２０を抵抗軸２３０に嵌め込めばよい。
【００９１】
Ｄ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００９２】
変形例１：
主動ギヤと従動ギヤとの構成としては、上述した各実施例の構成に限らず、他の種々の構成を採用可能である。例えば、主動ギヤに、歯溝の一部分を埋める制止部を設け、従動ギヤに、制止部と接触すべき部分が欠けている第１種歯と、制止部と接触すべき部分に欠けのない第２種歯と、を設けてもよい。ここで、第２種歯は、誤った咬み合い位置で主動ギヤと従動ギヤとが咬み合わされた場合にのみ、制止部と接触して各ギヤの回転を制止するように、構成されている。
【００９３】
いずれの場合も、制止部の位置は、図７や図２４の例のように歯溝の端部であっても良く、図２３の例のように歯溝の途中であってもよい。ただし、歯溝の途中に設けられた制止部は、型抜きや掘削等による歯溝の形成に支障を来す場合が多い。従って、歯溝の端部に制止部を設ければ、容易にギヤを製造することができる。また、第１種歯は、図２３の歯５００ｑのように、途中の一部分が欠けていてもよく、また、図６や図２４の狭歯部２００ｇｎ１、２００ｇｎ２の歯のように、制止部の手前まで延びる連続な歯のみで形成されていてもよい。ただし、歯の途中に設けられた切り欠きは、型抜きや掘削等による歯の形成に支障を来す場合が多い。従って、第１種歯を制止部の手前まで延びる連続な歯のみで形成すれば、容易にギヤを製造することができる。第２種歯についても、同様に、制止部と接触する位置まで延びる連続な歯のみで形成することが好ましい。
【００９４】
変形例２：
上述の第１実施例では、歯溝に挿入される部分の歯幅（挿入歯幅）に関して、第２種歯（例えば、図６の広歯部２００ｇｗ）の挿入歯幅ＷＷ（図２２（ｂ）が、第１種歯（例えば、図６の狭歯部２００ｇｎ１、２００ｇｎ２）の挿入歯幅ＮＷよりも広いが、逆であってもよい。ただし、第１種歯では、制止部と接触すべき部分が欠けているので、第１種歯の挿入歯幅が第２種歯の挿入歯幅よりも狭い構成を採用すれば、ギヤが過剰に大きくなることを抑制できる。
【００９５】
また、第１種歯と第２種歯とが（例えば、図６の狭歯部２００ｇｎ１、２００ｇｎ２と、広歯部２００ｇｗ）、３６０度未満の角度の円弧上に配置されている場合において、比較的幅の広い第２種歯が円弧の端部に配置されてもよい。ただし、比較的幅の広い第２種歯を円弧の途中に設ければ、円弧の途中部分に設けられた歯の摩耗が進むことを抑制できるので、ギヤ機構、すなわち、遊技球発射制御装置の寿命を延ばすことが可能である。
【００９６】
変形例３：
上述の各実施例において、付勢ギヤ２４０（図１３）が付勢される方向は左方向Ｌに限らず右方向Ｒであってもよい。また、付勢ギヤ２４０の構成としては、図８に示した構成に限らず、任意の構成を採用可能である。例えば、歯が外周部２４０ｏの全周に渡って設けられていても良い。この場合には、突出部ＤＳＴを外周部２４０ｏの上面や下面に設ければよい。
【００９７】
また、上述の各実施例において、ストッパＳＴと突出部ＤＳＴとを省略してもよい。この場合には、従動ギヤを組み込む際には、別途、付勢ギヤ２４０に力を加えることによって、付勢ギヤ２４０の角度位置を所定の角度位置に保持することが好ましい。また、付勢バネ２６０の構成として、付勢ギヤ２４０の角度位置が所定の角度位置（例えば、図１５に示す角度位置）である場合には、付勢バネ２６０が延びきることによって、付勢ギヤ２４０に付勢力が付与されないような構成を採用してもよい。こうすれば、ストッパＳＴが無くても、付勢ギヤ２４０の角度位置を付勢バネ２６０によって所定の角度位置に保持することが可能となる。なお、この場合も、付勢ギヤ２４０が右方向Ｒに回転した場合には、付勢ギヤ２４０に付勢力が付与される。
【００９８】
また、上述の各実施例において、付勢ギヤ２４０を省略してもよい。この場合には、図１０のフローチャートにおいて、ステップＳ１１０、Ｓ１２０を省略可能である。また、ステップＳ１３０では、従動ギヤの角度位置を任意の位置に設定可能である。ただし、ステップＳ１４０では、従動ギヤの角度位置が所定の角度位置に保持された状態で、主動ギヤが装着される。すなわち、所定の正しい咬み合い位置で、主動ギヤと従動ギヤとが咬み合わされる。
【００９９】
ただし、ハンドル１００による発射威力の細かい制御を容易にするためには、従動ギヤを一方向に付勢することが好ましい。例えば、従動ギヤに付勢部（例えば、付勢バネ２６０（図３）と同様のバネ）を設けても良い。
【０１００】
変形例４：
上述の各実施例において、主動支持部（例えば、図５の軸受け部２１０）に主動ギヤ（例えば、図６の主動ギヤ２００）を所定の角度位置で嵌め合わせるための第１勘合部と第２勘合部との構成としては、溝２１０ａと突起部２００ｊｔとを用いる構成に限らず、種々の構成を採用可能である。例えば、主動ギヤ２００の突出軸２００ｊに溝を設け、軸受け部２１０の穴２１０ｈの内側に、その溝を通る突起部を設けてもよい。一般には、主動ギヤの角度位置が所定の正主動角度位置である場合にのみ、第１勘合部と第２勘合部とが勘合することによって、主動ギヤと主動支持部とが嵌め合わせられ得るような、任意の構成を採用可能である。
【０１０１】
また、このような第１勘合部と第２勘合部とを省略してもよい。この場合には、所定の角度位置で主動ギヤを組み込むために、その角度位置を確認するための印（図示せず）を主動ギヤに設けることが好ましい。
【０１０２】
変形例５：
遊技球発射制御装置（遊技球発射ハンドル１００）の構成としては、上述の各実施例の構成に限らず、他の種々の構成を採用可能である。例えば、各ギヤの大きさやピッチや歯数等のギヤ機構の構成としては、他の任意の構成を採用可能である。図１５に示す第１実施例では、従動ギヤ２２０のツバ無し歯溝２２０ｐの数が２であったが、円ピッチがより小さい場合には、ツバ無し歯溝の数が３以上に設定されてもよい。
【０１０３】
また、上述の各実施例では、主動ギヤと従動ギヤと付勢ギヤとのそれぞれとして、平歯車を採用しているが、他の種類の歯車を採用してもよい。例えば、はすば歯車を採用してもよい。
【０１０４】
また、上述の各実施例では、従動ギヤ（例えば、図４の従動ギヤ２２０）が、角度位置に応じて可変抵抗器ＶＲの抵抗値を変化させる抵抗軸２３０に設けられたギヤであるが、従動ギヤとしては、他の種々のギヤを採用可能である。例えば、機械的に発射威力を調整するための軸に設けられたギヤを採用してもよい。バネによって付勢された打撃用ハンマ（図示省略）を用いて遊技球を発射させる遊技機においては、バネの一端の固定位置を変化させることによって、発射威力を調整することができる。この場合には、バネの固定位置を機械的に変化させるための軸に、従動ギヤを設けてもよい。一般には、従動ギヤとしては、角度位置に応じて遊技球の発射威力を調整するための任意のギヤを採用可能である。
【図面の簡単な説明】
【０１０５】
【図１】遊技球発射ハンドル１００を示す説明図である。
【図２】前カバー５０を外した状態のハンドル１００の正面図である。
【図３】回転操作部３０を外したハンドル１００の正面図である。
【図４】互いに咬み合わされた主動ギヤ２００と従動ギヤ２２０と付勢ギヤ２４０とを示す斜視図である。
【図５】収納容器６１内部（正面側）の概略構成を示す斜視図である。
【図６】主動ギヤ２００を示す説明図。
【図７】従動ギヤ２２０を示す説明図。
【図８】付勢ギヤ２４０を示す説明図。
【図９】各ギヤ２００,２２０,２４０の動作を示す説明図である。
【図１０】ハンドル１００の製造工程を示すフローチャートである。
【図１１】準備されたハンドル基部６０（収納容器６１）の正面図である。
【図１２】ステップＳ１１０における収納容器６１の正面図である。
【図１３】ステップＳ１２０における収納容器６１の正面図である。
【図１４】ステップＳ１３０における従動ギヤ２２０と抵抗軸２３０と付勢ギヤ２４０とを示す側面図である。
【図１５】従動ギヤ２２０と付勢ギヤ２４０とを示す説明図。
【図１６】従動ギヤ２２０の角度位置が歯１つ分だけ左方向Ｌにずれた場合の従動ギヤ２２０と付勢ギヤ２４０とを示す説明図。
【図１７】従動ギヤ２２０の角度位置が歯１つ分だけ右方向Ｒにずれた場合の従動ギヤ２２０と付勢ギヤ２４０とを示す説明図。
【図１８】ステップＳ１４０における主動ギヤ２００と軸受け部２１０とを示す側面図である。
【図１９】主動ギヤ２００と軸受け部２１０とを示す説明図。
【図２０】主動ギヤ２００の角度位置が左方向Ｌにずれた場合の主動ギヤ２００と軸受け部２１０とを示す説明図。
【図２１】主動ギヤ２００の角度位置が右方向Ｒにずれた場合の主動ギヤ２００と軸受け部２１０とを示す説明図。
【図２２】主動ギヤ２００と従動ギヤ２２０との咬み合い位置を説明する説明図。
【図２３】第２実施例における主動ギヤ５００と従動ギヤ５２０とを示す斜視図である。
【図２４】第３実施例における主動ギヤ７００と従動ギヤ７２０とを示す側面図である。
【符号の説明】
【０１０６】
３０…回転操作部
３０ａ、３０ｂ、３０ｃ…指掛け部
３１ａ…第１ガイド穴
３１ｂ…第２ガイド穴
３２ａ…ねじ穴
３３…軸穴
３４…バネ止め突起
４０…ストップスイッチ操作部
５０…前カバー
６０…ハンドル基部
６１…収納容器
６１ｖ…切り欠き
６２…支持部
１００…遊技球発射ハンドル
１２０…ストップスイッチ
１３１ａ…第１ガイド支柱
１３１ｂ…第２ガイド支柱
１３１ｃ…第３ガイド支柱
１３４…第１バネ止め支柱
２６６…第２バネ止め支柱
２００…主動ギヤ
２００ｇ…ギヤ部
２００ｇｎ１…第１狭歯部
２００ｇｎ２…第２狭歯部
２００ｇｗ…広歯部
２００ｇｗｔ…端部
２００ａ…円弧
２００ｆ…固定部
２００ｈ…支持軸
２００ｊ…突出軸
２００ｐ…歯
２００ｊｔ…突起部
２０２ａ、２０２ｂ…ねじ穴
２１０…軸受け部
２１０ａ…溝
２１０ｈ…穴
２１０ｎ…幅狭部
２１０ｗ…幅広部
２２０…従動ギヤ
２２０Ｔ…端部
２２０ｃ…歯
２２０ｆ…ツバ
２２０ｈ…貫通軸穴
２２０ｐ…ツバ無し歯溝
２２０ｑ…歯溝
２３０…抵抗軸
２４０…付勢ギヤ
２４０ａ…バネ止め溝
２４０ｈ…貫通軸穴
２４０ｉ…内周部
２４０ｏ…外周部
２４０ｑ…歯
２４０ｓ…バネ溝
２４０ｔ…歯
２５０…付勢ギヤ軸支柱（付勢ギヤ軸）
２６０…付勢バネ
３００…ギヤ機構
５００…主動ギヤ
５００ｂ…切り欠き
５００ｑ…歯
５２０…従動ギヤ
５２０ｆ…制止部
５２０ｐ…歯溝
７００…主動ギヤ
７００ｇｗｔ…端部
７２０…従動ギヤ
７２０Ｔ…端部
７２０ｆ…ツバ
ＶＲ…可変抵抗器
ＨＳ…操作バネ
ＳＴ…ストッパ支柱（ストッパ）
ＤＳＴ…突出部
【図１】
0004765683.tif 000002
【図２】
0004765683.tif 000003
【図３】
0004765683.tif 000004
【図４】
0004765683.tif 000005
【図５】
0004765683.tif 000006
【図６】
0004765683.tif 000007
【図７】
0004765683.tif 000008
【図８】
0004765683.tif 000009
【図９】
0004765683.tif 000010
【図１０】
0004765683.tif 000011
【図１１】
0004765683.tif 000012
【図１２】
0004765683.tif 000013
【図１３】
0004765683.tif 000014
【図１４】
0004765683.tif 000015
【図１５】
0004765683.tif 000016
【図１６】
0004765683.tif 000017
【図１７】
0004765683.tif 000018
【図１８】
0004765683.tif 000019
【図１９】
0004765683.tif 000020
【図２０】
0004765683.tif 000021
【図２１】
0004765683.tif 000022
【図２２】
0004765683.tif 000023
【図２３】
0004765683.tif 000024
【図２４】
0004765683.tif 000025